(57)【要約】      （修正有）【課題】ギアの歯面に塗布したグリスの飛散したり、ギア同士が擦れて発生する削れ粉が装置下部に落下するのを防ぐ。【解決手段】駆動装置を備えた固定ユニット２と、被駆動部材を備え前記固定ユニット２に対して切り離し可能に結合される可動ユニット５と、前記駆動装置により回転駆動される駆動ギア３１と、前記固定ユニットに回動自在に設けられた保持部材３４と、前記保持部材３４に保持され前記駆動ギア３１の下方で該駆動ギア３１に噛み合う揺動ギア３２と、前記可動ユニットに設けられ両ユニット２，５が結合されたときに、前記保持部材３４が前記駆動ギア３１と前記揺動ギア３２の噛み合い部よりもギア回転方向下流側を前記揺動ギア３２の上部から下部にかけてその歯面周囲を覆うことを特徴とする。【選択図】図３
2006352393.tif 000002
【特許請求の範囲】
【請求項１】
駆動装置を備えた固定ユニットと、被駆動部材を備え前記固定ユニットに対して切り離し可能に結合される可動ユニットと、前記駆動装置により回転駆動される駆動ギアと、前記固定ユニットに回動自在に設けられた保持部材と、前記保持部材に保持され前記駆動ギアの下方で該駆動ギアに噛み合う揺動ギアと、前記可動ユニットに設けられ両ユニットが結合されたときに前記揺動ギアと噛み合う伝達ギアと、前記保持部材を揺動ギアと伝達ギアの噛み合いを確実にするように回動方向に付勢する付勢手段とを有する駆動伝達装置において、前記保持部材が前記駆動ギアと前記揺動ギアの噛み合い部よりもギア回転方向下流側を前記揺動ギアの上部から下部にかけてその歯面周囲を覆うことを特徴とする駆動伝達装置。
【請求項２】
前記保持部材の回動支点を、前記駆動装置の駆動軸としたことを特徴とする請求項１に記載の駆動伝達装置。
【発明の詳細な説明】
【技術分野】
【０００１】
本発明は、駆動装置を備えた固定ユニットと、被駆動部材を備え前記固定ユニットに対して切り離し可能に結合される可動ユニットを備えるユニット間の駆動伝達装置に関する。
【背景技術】
【０００２】
従来の自動原稿読取装置には、例えば、密着型イメージセンサや搬送ローラ等を一体に備えた搬送ユニットを一端側の回動支点で装置筐体に回動自在に設け、さらにこの搬送ユニットの上方を覆う開閉式のカバー体を回動自在に設けて、原稿トレイにセットされた原稿がカバー体と搬送ユニットの上面部との間にできる搬送経路を通り、搬送ユニットの回動支点側で折り返して搬送ユニットの下面部と装置筐体との間にできる搬送経路へと搬送され、最終的に排紙トレイ上へ排紙されるように、原稿搬送経路をＵ字型に構成したものがある。
【０００３】
このような構成とすることで、原稿搬送経路において紙詰まりを起こした場合でも、カバー体若しくはカバー体及び搬送ユニットを回動させることにより、紙詰まりを起こした箇所を露出させることができるので、詰まった原稿を搬送経路から容易に取り除くことができる。
【０００４】
このような原稿読取装置では、可動ユニットである搬送ユニットやカバー体にも駆動力を必要とするローラが配置されるが、可動ユニットの軽量化を図るために、モータ等の駆動装置は装置筐体（固定ユニット）側に集約して設けられ、可動ユニットへの駆動伝達は、固定ユニット側のギアと可動ユニット側のギアとの噛み合いを通じて行われる。
【０００５】
このため、ユニット間の駆動伝達を確実に行うには、固定ユニット側のギアと可動ユニット側のギアとの噛み合いを確実にすることが必要であり、その手段として、例えば、固定ユニット側のギアを回動自在に設けられる保持部材に保持することにより揺動自在（揺動ギア）とし、引っ張りバネ等の付勢手段により保持部材をギアの噛み合い方向に付勢することが提案されている（特許文献１及び特許文献２参照）。
【特許文献１】特開平７−１９９５７１号公報
【特許文献２】特開平１１−２２３９９３号公報
【発明の開示】
【発明が解決しようとする課題】
【０００６】
しかしながら、上述したような従来の駆動伝達機構では、保持部材は単に揺動ギアを揺動自在に保持する機能を持つのみであり、ギアの歯面に塗布したグリスが飛散したり、ギア同士が擦れて発生する削れ粉が装置下部に落下するのを防ぐものではないため、機内の汚染、他の駆動部への進入による不良発生を防止することはできなかった。
【０００７】
本発明は、このような従来の課題に鑑みてなされたものであり、ギアの歯面に塗布したグリスが飛散したり、ギア同士が擦れて発生する削れ粉が装置下部に落下するのを防ぐことのできる駆動伝達装置を提供することを目的とする。
【課題を解決するための手段】
【０００８】
上記目的を達成するために本発明は、駆動装置を備えた固定ユニットと、被駆動部材を備え前記固定ユニットに対して切り離し可能に結合される可動ユニットと、前記駆動装置により回転駆動される駆動ギアと、前記固定ユニットに回動自在に設けられた保持部材と、前記保持部材に保持され前記駆動ギアの下方で該駆動ギアに噛み合う揺動ギアと、前記可動ユニットに設けられ両ユニットが結合されたときに前記揺動ギアと噛み合う伝達ギアと、前記保持部材を揺動ギアと伝達ギアの噛み合いを確実にするように回動方向に付勢する付勢手段とを有する駆動伝達装置において、前記保持部材が前記駆動ギアと前記揺動ギアの噛み合い部よりもギア回転方向下流側を前記揺動ギアの上部から下部にかけてその歯面周囲を覆うことを特徴とする。
【０００９】
また、前記保持部材の回動支点を、前記駆動装置の駆動軸とすることにより、揺動ギアの保持構造の簡素化が図られる。
【発明の効果】
【００１０】
本発明によると、駆動ギアと揺動ギアの噛み合い部のギア回転方向下流側を揺動ギアの上部から下部にかけてその歯面の周囲を覆っているホルダの壁面がフェンス或いは受け皿となり、ギア歯面等に塗布されたグリスが飛散したり、ギア同士が擦れて発生する削れ粉や上部からの落下物（現像剤や紙粉等）が装置下部に落下することを防止することができる。
【発明を実施するための最良の形態】
【００１１】
以下、本発明の実施例について図面を参照して説明する。但し、この実施例に記載されている構成部品の寸法、材質、形状、その相対配置などは特に特定的な記載がない限り、この発明の範囲をそれのみに限定する趣旨ではなく、単なる説明例に過ぎない。
【００１２】
まず、図１及び図２を参照して、自動原稿読取装置を例にあげて説明するが、記録用紙搬送装置においても同様にして本発明を適用できる。図１は自動原稿読取装置１の外観を示すカバー体を開いた状態の斜視図であり、図２はさらに搬送ユニットを回動させた状態の斜視図である。自動原稿読取装置１は、画像形成装置（例えば、複写機）とともに用いられ、画像形成装置（図示せず）本体の上面側に配置される。
【００１３】
自動原稿読取装置１は、密着型イメージセンサ３や搬送ローラ４等を一体に備えた搬送ユニット５を一端側の回動支点で装置筐体２に回動自在に設け、さらにこの搬送ユニット５の上方を覆う開閉式のカバー体６を回動自在に設けて、原稿トレイ７にセットされた原稿がカバー体６と搬送ユニット５の上面部との間にできる搬送経路を通り、搬送ユニット５の回動支点側で折り返して搬送ユニット５の下面部と装置筐体２との間にできる搬送経路へと搬送され、最終的に排紙トレイ上８へ排紙されるように、原稿搬送経路をＵ字型に構成したものである。
【００１４】
このような構成とすることで、原稿搬送経路において紙詰まりを起こした場合でも、カバー体６若しくはカバー体６及び搬送ユニット５を回動させることにより、紙詰まりを起こした箇所を露出させることができるので、詰まった原稿を搬送経路から容易に取り除くことができる。
【００１５】
このような原稿読取装置１では、可動ユニットである搬送ユニット５やカバー体６にも駆動力を必要とするローラ（カバー体６に設けられるピックアップローラ９や搬送ユニット５に設けられる搬送ローラ４等）が配置されるが、可動ユニットの軽量化を図るために、モータ等の駆動装置は装置筐体２（固定ユニット）側に集約して設けられ、可動ユニットへの駆動伝達は、固定ユニット側のギアと可動ユニット側のギアとの噛み合いを通じて行われる。
【００１６】
以下、この駆動伝達機構の構成について、可動ユニットが搬送ユニット５であり、その搬送ローラ（被駆動部材）４に駆動伝達を行う場合を例にして説明する。
【００１７】
図３は、駆動伝達装置の接続部の概略的な斜視図であり、図４は、その軸方向に沿った断面図である。装置筐体２は一方の側壁の外側には、モータ（駆動装置）３０が配置され、そのモータ軸３０ａに駆動ギア３１が取付けられている。この駆動ギア３１の下方には、大径ギア３２ａ及び小径ギア３２ｂが同軸に一体形成された揺動ギア３２の大径ギア３２ａが噛み合っている。揺動ギア３２の小径ギア３２ｂは、駆動ギア３１よりも装置筐体２の内側に突出しており、その用紙搬送方向下流側の上部に、搬送ユニット５に設けられる後述する伝達ギア３８が噛み合うようになっている。
【００１８】
駆動ギア３１及び揺動ギア３２は、駆動ギア３１の回転中心、つまりモータ軸３０ａを中心として揺動ギア３２が揺動可能となるようにホルダ（保持部材）３４に対して回転可能に支持されている。ホルダ３４は、駆動ギア３１と揺動ギア３２の噛み合い部よりもギア回転方向下流側を揺動ギア３２の上部から下部にかけてその歯面周囲を３分の２程度覆っている（図５参照）。このように、ホルダ３４は、揺動ギア３２の歯面の大部分を覆うので、ユーザがギア歯面に直接触れるのを防止する安全カバーとしても機能する。
【００１９】
揺動ギア３２の中心には軸３３が貫通するように取付けられ、この軸３３の一端がホルダ３４の一方の側壁内面に設けられた軸受３４ａに軸支され、他端がホルダ３４の他方の側壁に貫通して設けられた丸穴３４ｂに挿通されることにより、揺動ギア３２はホルダ３４に回転自在に支持されている。
【００２０】
ホルダ３４内の駆動ギア３１の収容部は、揺動ギア３２の収容部よりも軸方向長さが狭く設定されており、その分、ホルダ３４の他方の側壁は内側に引っ込んでいるが、その対向する一方及び他方の側壁に貫通する丸穴３４ｃ及び３４ｄをそれぞれ設けてこれらにモータ軸３０ａを挿通している。このモータ軸３０ａの先端は、装置筐体２の側壁から突出して設けられた断面Ｌ字型のホルダ保持片３５に貫通して設けられた丸穴３５ａに挿通されることで、ホルダ３４はモータ軸３０ａを中心として回動可能に装置筐体２に支持されることになる。この結果、ホルダ３４に支持された揺動ギア３２は、モータ軸３０ａを中心として揺動可能となる。
【００２１】
また、ホルダ３４は、図５に示すように、装置筐体２の側壁内面に設けられたバネ掛け片３６（図３参照）と、ホルダ３４の一方の側壁の開口縁部に設けられたバネ掛け部３４ｅとの間に設けられた引っ張りバネ３７により、時計方向に付勢されている。
【００２２】
一方、図３に示すように、搬送ユニット５の他端部（支点軸から離れた端部）には、その一方の側壁に軸３９が回転自在に設けられ、この軸３９の一端に伝達ギア３８が取付けられている。なお、搬送ユニット５には、軸３９の他端にも、伝達ギア（図示せず）が取付けられ、これに噛み合うプーリ（図示せず）及びベルト（図示せず）を介して搬送ローラ４（図１参照）に駆動が伝達される。
【００２３】
搬送ユニット５が閉じられると、図６に示すように、揺動ギア３２の小径ギア３２ｂの用紙搬送方向下流側の上部に、搬送ユニット５に設けられた伝達ギア３８が噛み合うことになる。このとき、揺動ギア３２はモータ軸３０ａを中心に反時計方向に付勢されているので、確実に揺動ギア３２の小径ギア３２ｂと伝達ギア３８を噛み合わせることができる。
【００２４】
また、駆動ギア３１と揺動ギア３２の噛み合い部のギア回転方向下流側を揺動ギア３２の上部から下部にかけてその歯面の周囲を覆っているホルダ３４の壁面がフェンス或いは受け皿となり、ギア歯面等に塗布されたグリスが飛散したり、ギア同士が擦れて発生する削れ粉や上部からの落下物（現像剤や紙粉等）が装置下部に落下することを防止することができる。
【００２５】
この構成で、駆動ギア３１が反時計方向に回転駆動されると、これに噛み合う揺動ギア３２の大径ギア３２ａが時計方向に回転し、さらに揺動ギア３２の小径ギア３２ｂに噛み合う伝達ギア３８が反時計方向に回転する。すなわち、モータ３０（図４参照）の回転駆動力が駆動ギア３１及び揺動ギア３２を介して伝達ギア３８に伝えられ、上述のようにして搬送ローラ４（図１参照）を回転駆動することができる。
【産業上の利用可能性】
【００２６】
本発明は、画像形成装置に搭載される原稿自動給送装置や記録用紙搬送装置等に利用することができる。
【図面の簡単な説明】
【００２７】
【図１】は、自動原稿読取装置の外観を示すカバー体を開いた状態の斜視図である。
【図２】は、図１のさらに搬送ユニットを回動させた状態の斜視図である。
【図３】は、駆動伝達装置の接続部の概略的な斜視図である。
【図４】は、その軸方向に沿った断面図である。
【図５】は、装置筐体の一方の側壁に回動自在に設けられたホルダを付勢する手段を示す軸に垂直な方向に沿った断面図である。
【図６】は、駆動伝達装置における駆動ギアと揺動ギア、揺動ギアと伝達ギアギアのギアの噛み合い関係を示す説明図である。
【符号の説明】
【００２８】
１  自動原稿読取装置
２  装置筐体（固定ユニット）
４  搬送ローラ（被駆動部材）
５  可動ユニット（可動ユニット）
６  カバー体
３０      モータ
３０ａ    モータ軸（駆動軸）
３１      駆動ギア
３２      揺動ギア
３２ａ    大径ギア
３２ｂ    小径ギア
３４      ホルダ
３７      引っ張りバネ（付勢手段）
３８      伝達ギア
【図１】
2006352393.tif 000003
【図２】
2006352393.tif 000004
【図３】
2006352393.tif 000005
【図４】
2006352393.tif 000006
【図５】
2006352393.tif 000007
【図６】
2006352393.tif 000008